(57)【要約】【課題】パンチプレスに装着した状態であっても片手でパンチヘッドの高さを調節することのできるパンチプレス用上金型を提供する。【解決手段】パンチドライバの上部にパンチヘッドを上下調節自在に備えた構成のパンチプレス用上金型において、前記パンチドライバ２１に一体に備えた螺子部材２５に、パンチヘッド３１を上下動可能に螺合して設け、前記螺子部材２５の外周面に適宜間隔に形成した係止溝２９に係合離脱自在のロック片３７を前記パンチヘッド３１に備え、前記係止溝２９に前記ロック片３７を係合した固定状態に保持するためのロック手段を前記パンチヘッド３１に備えた構成であり、前記螺子部材２５と前記パンチヘッド３１はユニット化してあり、このユニット化した状態において前記パンチドライバ２１に着脱可能に取付けてある。【選択図】　　　図１
2004141922.tif 000002
【特許請求の範囲】
【請求項１】
パンチドライバの上部にパンチヘッドを上下調節自在に備えた構成のパンチプレス用上金型において、前記パンチドライバに一体に備えた螺子部材に、パンチヘッドを上下動可能に螺合して設け、前記螺子部材の外周面に適宜間隔に形成した係止溝に係合離脱自在のロック片を前記パンチヘッドに備え、前記係止溝に前記ロック片を係合した固定状態に保持するためのロック手段を前記パンチヘッドに備えたことを特徴とするパンチプレス用上金型。
【請求項２】
請求項１に記載のパンチプレス用上金型において、前記螺子部材と前記パンチヘッドはユニット化してあり、このユニット化した状態において前記パンチドライバに着脱可能に取付けてあることを特徴とするパンチプレス用上金型。
【発明の詳細な説明】
【０００１】
【発明の属する技術分野】
本発明は、例えばタレットパンチプレス等のごときパンチプレスに装着して使用されるパンチプレス用上金型に係り、さらに詳細には、上金型に備えたパンチヘッドの高さ位置を調整自在（ハイト調整自在）の上金型において、上金型をパンチプレスに装着した状態において前記パンチヘッドの上下位置を片手操作で容易に行うことのできるパンチプレス用上金型に関する。
【０００２】
【従来の技術】
従来、パンチプレスに装着して使用される成形金型においてパンチヘッドの高さ位置を調整する構成として、上金型におけるパンチドライバ（パンチボディ）の上面とパンチヘッドとの間にシムを介在する構成が採用されていた。上記構成においては、調整に必要な厚さのシムを揃えることが厄介であると共に、パンチドライバからパンチヘッドを取り外し、その後にシムを介在する構成であるから、ハイト調整作業が厄介であるという問題があった。
【０００３】
そこで、パンチドライバの上部にパンチヘッドを上下動可能に螺着し、パンチヘッドを回転操作することによって、パンチドライバに対してパンチヘッドの高さを調整自在の構成も開発されている（例えば、特許文献１参照）。
【０００４】
【特許文献１】
特許第３２０８１０４号公報
【０００５】
【発明が解決しようとする課題】
前記特許文献１においての上金型は、図４に示すように、例えばタレットパンチプレス等のごときパンチプレス（図示省略）における上型ホルダ１にリフタースプリング３を介して上下動自在に支持されており、この上金型５は、下金型（図示省略）と協働してワークのプレス加工（例えば成形加工）を行うプレス加工部７を下部に備えたパンチドライバ９を備えており、このパンチドライバ９の上部には、パンチヘッド１１が上下位置調整自在に螺着してある。
【０００６】
前記パンチドライバ９に対してパンチヘッド１１の高さ位置の調整を行った後に、パンチヘッド１１を固定するために、前記パンチヘッド１１の下端部外周面には係止溝１３が周方向に適宜間隔に形成してあり、かつ上記係止溝１３に対して先端側が係合自在のロック片１５がパンチドライバ９内に移動自在に設けられている。前記ロック片１５はコイルスプリング等の弾性部材１７によって常に係止溝１３方向へ押圧付勢されている。上記弾性部材１７の付勢力に抗して前記係止溝１３とロック片１５との係合を解除するために、前記ロック片１５には頭部を前記パンチドライバ９の外部へ突出したボルト１９が螺着してある。
【０００７】
上記構成により、ボルト１９を操作して前記係止溝１３とロック片１５との係合が解除された状態にあるとき、パンチドライバ９に対してパンチヘッド１１を回転操作することにより、パンチドライバ９に対するパンチヘッド１１の高さ位置が調整される。
【０００８】
その後、弾性部材１７の付勢力によって前記ロック片１５と係止溝１３とを係合した状態に保持することにより、パンチヘッド１１はパンチドライバ９にロックした状態に保持されるものである。
【０００９】
上記構成においては、パンチヘッドとパンチドライバとの間にシムを介在する構成に比較して、パンチドライバに対するパンチヘッドの高さ位置の調整を容易に行い得るものの、前記パンチヘッドの高さ位置を調整する際は、一方の手でボルト１９を操作し、他方の手でパンチヘッド１１を回転操作する必要があるという問題がある。
【００１０】
また、パンチヘッド１１の高さ調整により、前記係止溝１３とロック片１５との係合が離脱することがあり、さらなる改善が望まれている。
【００１１】
【課題を解決するための手段】
本発明は前述のごとき従来の問題に鑑みてなされたもので、請求項１に係る発明は、パンチドライバの上部にパンチヘッドを上下調節自在に備えた構成のパンチプレス用上金型において、前記パンチドライバに一体に備えた螺子部材に、パンチヘッドを上下動可能に螺合して設け、前記螺子部材の外周面に適宜間隔に形成した係止溝に係合離脱自在のロック片を前記パンチヘッドに備え、前記係止溝に前記ロック片を係合した固定状態に保持するためのロック手段を前記パンチヘッドに備えた構成である。
【００１２】
請求項２に係る発明は、請求項１に記載のパンチプレス用上金型において、前記螺子部材と前記パンチヘッドはユニット化してあり、このユニット化した状態において前記パンチドライバに着脱可能に取付けた構成である。
【００１３】
【発明の実施の形態】
以下、図面を用いて本発明の実施の形態について説明するに、前述した従来の構成と同一機能を奏する構成部分には同一符号を付することとして重複した説明は省略する。
【００１４】
図１を参照するに、プレス加工部（図示省略）を下部側に備え、かつパンチプレスにおける上型ホルダに上下動自在に支持されるパンチドライバ２１（前述のパンチドライバ９に相当する）の上面にはボルトのごとき固定具２３を介して螺子部材２５が着脱可能に取付けてある。なお、パンチドライバ２１に対して螺子部材２５を着脱可能に取付ける構成としては、上記螺子部材２５をパンチドライバ２１に直接螺着する構成とすることも可能である。
【００１５】
前記螺子部材２５の外周面には雄ネジ部２７が形成してあると共に軸心に平行な複数の係止溝２９が周方向に適宜間隔に形成してある。上記係止溝２９は、図１においては螺子部材２５の上端部外周面に形成してあるが、係止溝２９は前記螺子部材２５の全長に亘って形成しても良いものであり、係止溝２９の長さは所望の長さとすることができるものである。
【００１６】
すなわち、係止溝２９の長さは、パンチヘッド３１の高さ調節範囲よりも充分に長く形成することができるものである。なお、前記係止溝２９は、図１に示すように、断面形状が円弧状を呈する溝とすることにより、例えばフライス加工等の切削加工によって容易に加工することができるものである。
【００１７】
前記螺子部材２５の雄ネジ部２７は、前記パンチヘッド３１の内周面に形成した雌ネジ部３３が上下位置調節可能に螺合してある。このパンチヘッド３１には、前記固定具２３を回転するための工具（図示省略）を挿通可能の挿通孔３５が上部中央に形成してあると共に、前記係止溝２９に係合離脱自在のロック片３７を備えている。
【００１８】
より詳細には、前記パンチヘッド３１には径方向（放射方向）の貫通孔３９が形成してあり、この貫通孔３９内に、ボール又はピン等よりなる前記ロック片３７が移動自在に嵌入してある。そして、前記係止溝２９に前記ロック片３７を係合した固定状態に保持するためのロック手段が前記パンチヘッド３１に備えられている。
【００１９】
すなわち、前記パンチヘッド３１には、前記貫通孔３９に対して交差する方向，本実施形態においては直交する方向の交差孔４１が形成してあり、この交差孔４１内には、前記ロック片３７を係止溝２９方向へ移動し固定状態に保持するための大径のロック片押え部（大径部）４３を備えると共に、前記係止溝２９から前記ロック片３７が離脱することを許容するための小径のロック片受入部（小径部）４５を備えた摺動部材４７が移動自在に嵌入してある。
【００２０】
上記摺動部材４７は、前記交差孔４１の底部と前記摺動部材４７との間に弾装したコイルスプリング等のごとき弾性部材４９によって常に抜け出る方向に押圧付勢されており、常態においては前記ロック片押え部４３が前記ロック片３７を係止溝２９に係合した状態にあるように、前記交差孔４１の入口に螺着固定したパイプ状のストッパ５１に当接されている。そして、前記摺動部材４７の先端部４７Ｅは、前記パンチヘッド３１の上面に段状に形成した凹部５３内に突出してある。
【００２１】
上記構成により、常態においては、摺動部材４７の大径の押え部４３によってロック片３７は係止溝２９に係合した状態に固定されており、螺子部材２５に対してパンチヘッド３１は回転不能な固定状態に保持されている。
【００２２】
前記螺子部材２５に対してパンチヘッド３１の高さ位置（上下位置）を調節するには、一方の手の例えば人差指で摺動部材４７の先端部４７Ｅを下方向へ押して、この摺動部材４７の小径のロック片受入部４５を前記ロック片３７に対応すると、前記ロック片３７はロック片受入部４５側へ移動して係止溝２９から離脱するので、一方の手でパンチヘッド３１を回転することにより、螺子部材２５に対してパンチヘッド３１を上下に位置調節することができる。
【００２３】
前記パンチヘッド３１の回転量（回転角）をパンチヘッド３１に備えた目盛り５５により読み取り、パンチヘッド３１を所望角回動した後に、前記摺動部材４７の押圧を解除すると、弾性部材４９の付勢力によって摺動部材４７が移動され、当該摺動部材４７の大径の押え部４３によってロック片４３が係止溝２９方向へ移動され、前記係止溝２９に係合した状態に保持される。
【００２４】
上記説明より理解されるように、上記構成においては、固定側としての螺子部材２５に対して回動側としてのパンチヘッド３１が外側に位置し、かつ螺子部材２５に形成した係止溝２９に対して係合離脱自在のロック片３７及び当該ロック片３７の係脱を操作するための摺動部材４７を前記パンチヘッド３１に備えた構成であることにより、片手操作でもってパンチヘッド３１を回動操作することができるものである。
【００２５】
したがって、上金型をパンチプレスの上金ホルダに装着した状態であって、上金ホルダの上部空間が比較的狭い場合であっても、上金ホルダに上金型を装着した状態においてパンチヘッド３１の回転操作を容易に行い得るものであり、前述したごとき従来の問題を解消し得るものである。
【００２６】
図２は第２の実施形態を示すもので、前述した第１の実施形態と同一機能を奏する構成部分には同一符号を付することとして重複した説明は省略する。
【００２７】
前述した第１の実施形態においては、摺動部材４７の先端部４７Ｅをパンチヘッド３１の上部に突出した構成について説明したが、この第２の実施の形態においては、前記先端部４７Ｅをパンチヘッド３１の下部に突出した構成を示すものである。この構成においては、親指でもって摺動部材４７の先端部４７Ｅを上方向に押圧する点が相違するのみであって、前述同様に片手でもってパンチヘッド３１を回動することができるものである。
【００２８】
図３は第３の実施形態を示すもので、前述した実施形態と同一機能を奏する構成部分には同一符号を付することとして重複した説明は省略する。
【００２９】
この第３の実施形態においては、交差孔４１を水平に設けた構成であって、前述した実施形態と同様の効果を奏するものである。
【００３０】
既に理解されるように、摺動部材４７を嵌入する交差孔４１は、上下方向，水平方向に設けることができることは勿論のこと、場合によっては斜め上下方向に設けることも可能なものである。
【００３１】
【発明の効果】
以上のごとき説明より理解されるように、本発明によれば、回動されるパンチヘッド側にロック片及び上記ロック片を操作する摺動部材を備えたことにより、前記ロック片のロック状態を解除してパンチヘッドを回動することを片手でもって行うことができ、前述したごとき従来の問題を解消し得るものである。
【図面の簡単な説明】
【図１】本発明の第１実施形態に係るパンチプレス用上金型のパンチヘッド構成を示す断面説明図である。
【図２】本発明の第２実施形態に係るパンチプレス用上金型のパンチヘッド構成を示す断面説明図である。
【図３】本発明の第３実施形態に係るパンチプレス用上金型のパンチヘッド構成を示す断面説明図である。
【図４】先行例の構成を示す断面説明図である。
【符号の説明】
１　上型ホルダ
５　上金型
７　プレス加工部
９，２１　パンチドライバ
１１，３１　パンチヘッド
１３，２９　係止溝
１５，３７　ロック片
２５　螺子部材
２７　雄ネジ部
３３　雌ネジ部
３５　挿通孔
３９　貫通孔
４１　交差孔
４３　ロック片押え部（大径部）
４５　ロック片受入部（小径部）
４７　摺動部材
４９　弾性部材
５３　凹部
【図１】
2004141922.tif 000003
【図２】
2004141922.tif 000004
【図３】
2004141922.tif 000005
【図４】
2004141922.tif 000006